(57)【要約】【課題】  本発明は、通信ネットワークにおいて直接的又は間接的データ出力／ファイル出力を行うための方法、並びに関連コンピュータプログラムプロダクツ及び関連コンピュータ読取り可能な記憶媒体を提供するもので、これらはインターネット、イントラネット又は他の記憶媒体から端末装置を介してコンテンツ（情報の中身）をディスプレイ及び／又は印刷するのに特に適している。【解決手段】  出力しようとするデータ／ファイル（コンテンツ）にアクセスするのに少なくとも必要な情報を端末装置からデータ処理ユニットへ送信し、前記データ処理ユニットをコンピュータプログラムにより制御し、それぞれの記憶位置にて出力しようとする前記データ／ファイルを開き、前記データ／ファイルを発行するためのプリントジョブを開始させ、プリントジョブから得られるプリントファイルをハイパーテキストページ、特にＨＴＭＬ又はＷＭＬサイト中に埋め込み、及び／又は出力しようとする前記データ／ファイルを事前特定可能なフォーマットに変換されるようになっている。このハイパーテキストページ、プリントファイル又はコンテンツが通信ネットワークにおいてリコールのために提供され、この提供されたデータ／ファイルをアクセスするのに必要な情報が端末装置へ送信される。次いで、この端末装置により、通信ネットワークからコンテンツが自動的にリコールされ、送出される。若しくは、コンテンツが手動リコールにより要求され、送出される。【特許請求の範囲】
【請求項１】
通信ネットワークにおけるデータ出力のための方法であって、
端末装置がデータ通信手段を介してデータ処理ユニットへの接続を確立し、出力しようとするデータ／ファイルにアクセスするのに少なくとも必要な情報を前記データ処理ユニットへ送信し、前記データ処理ユニットは前記データ処理ユニットにインストールされたコンピュータプログラムにより制御され、
−前記データ処理ユニットが、前記データの記憶位置における出力しようとする前記データにアクセスし、出力しようとする前記データを前記記憶位置から前記データ処理ユニットへの送信を開始し、
−前記データ処理ユニットが、プリントジョブを開始し、
−前記データ処理ユニットが、前記プリントジョブから得られるプリントファイルをハイパーテキストページに埋め込み、かつ、
○前記データ処理ユニットが、前記プリントファイル又は前記プリントファイルを含むハイパーテキストページを前記端末装置へ送信し、前記端末装置が送信されたプリントファイル又はハイパーテキストページを、前記端末装置のディスプレイに表示するか、又は前記端末装置に接続されたプリンタでプリントすることによって、送出（issue）するか、或いは、
○前記データ処理ユニットが、前記プリントファイル又は前記プリントファイルを含む前記ハイパーテキストページを前記通信ネットワークの記憶位置にてアクセスのために提供し、この提供されたプリントファイル又はハイパーテキストページにアクセスするのに必要な情報を前記端末装置へ送信し、アクセスのために必要な情報の送信後、前記端末装置が、自動的に、或いは前記端末装置に入力された手動の要求によって、前記プリントファイル又はハイパーテキストファイルにアクセスし、前記端末装置のディスプレイに表示するか、又は前記端末装置に接続されたプリンタでプリントすることによって前記プリントファイル又はハイパーテキストページを送出する（issue）ことを特徴とする方法。
【請求項２】
前記端末装置がモバイル端末装置であることを特徴とする請求項１記載の方法。
【請求項３】
前記モバイル端末装置が携帯電話、携帯コンピュータ、ラップトップ又はポケット型ＰＣであることを特徴とする請求項２記載の方法。
【請求項４】
前記ハイパーテキストページは、ＨＴＭＬ又はＷＭＬページであることを特徴とする請求項１記載の方法。
【請求項５】
前記出力しようとする前記データにアクセスするのに必要な情報が端末装置から、ダイアルアップ接続又はインターネットを介して、前記データ処理ユニットへ送信されることを特徴とする請求項１乃至４のいずれか一項に記載の方法。
【請求項６】
前記出力しようとする前記データをアクセスするのに必要な情報が端末装置から、ＳＭＳを介して、前記データ処理ユニットへ送信されることを特徴とする請求項１乃至５のいずれか一項に記載の方法。
【請求項７】
さらに、
−前記データ処理ユニットが、前記出力しようとするデータを、前記端末装置又は前記データ処理装置によって特定されるフォーマットに変換し、かつ、
○前記データ処理ユニットが、前記変換されたデータを前記端末装置に送信し、前記端末装置が送信されてきた前記変換されたデータを、端末装置のディスプレイに表示するか、又は前記端末装置に接続されたプリンタでプリントすることにより、送出（issue）するか、或いは、
○前記データ処理ユニットが、前記変換されたデータを前記通信ネットワークの記憶位置にアクセスのために提供し、前記提供された変換されたデータにアクセスするのに必要な情報を前記端末装置に送信し、そして、前記端末装置は、前記アクセスに必要な情報の送信の後、
自動的に、或いは前記端末装置に入力された手動の要求によって前記変換されたデータにアクセスし、前記端末装置のディスプレイに表示するか、或いは前記端末装置に接続されたプリンタでプリントすることにより、前記変換されたデータを送出（issue）することを特徴とする請求項１乃至６のいずれか一項に記載の方法。
【請求項８】
前記出力しようとする前記データをアクセスするのに必要な情報の他に、末端装置が更にディスプレイ情報を前記データ処理ユニットに更に送信し、前記データ処理ユニットが、出力しようとする前記データから端末装置の特定のディスプレイの要求を満たすビットマップファイルを作成することを特徴とする請求項１乃至７のいずれか一項に記載の出力方法。
【請求項９】
前記ディスプレイ情報が、ディスプレイサイズ、必要なスケーリング、及び、前記端末装置がカラー又は白黒ディスプレイをサポートするか否かについての情報のうち、少なくとも１つを含むことを特徴とする請求項８記載の方法。
【請求項１０】
前記端末装置又は前記データ処理ユニットによって特定された前記フォーマットの少なくとも１つ及び前記ディスプレイ情報は、前記端末装置のユーザによって定義された事前設定に従って前記データ処理ユニットに記憶されることを特徴とする請求項７乃至９のいずれか一項に記載の方法。
【請求項１１】
前記データ処理ユニットが、出力しようとする前記データからピュアテキストファイルを作成することを特徴とする請求項７乃至１０のいずれか一項に記載の方法。
【請求項１２】
前記通信ネットワークにおいてアクセスのために提供された、前記ハイパーテキストページ、前記プリントファイル、又は前記データにアクセスするのに必要な情報が、前記データ処理ユニットからメール又はＳＭＳにより前記端末装置に送信されることを特徴とする請求項１乃至１１のいずれか一項に記載の方法。
【請求項１３】
前記データが、ファイルとして実行されることを特徴とする請求項１乃至１２のいずれか一項に記載の方法。
【請求項１４】
端末装置と、プロセッサ及びチップのうち少なくとも１つを有するデータ処理ユニットと、を少なくとも備え、前記プロセッサ及びチップの少なくとも１つが通信ネットワークにおけるデータ出力についての方法が実行可能なように配置され、前記端末装置が、データ通信手段を介して前記データ処理装置との接続を確立し、出力しようとするデータにアクセスするのに少なくとも必要な情報をデータ処理ユニットへ送信するシステムであって、
前記データ処理ユニットは前記データ処理ユニットにインストールされたコンピュータプログラムにより制御され、
−前記データ処理ユニットが、前記データ／ファイルの記憶位置にある出力しようとする前記データ／ファイルをリコールし、出力しようとする前記データ／ファイルを前記記憶位置から前記データ処理ユニットへの送信を開始し、
−前記データ処理ユニットが、プリントジョブを開始し、
−前記データ処理ユニットが、前記プリントジョブから得られるプリントファイルをハイパーテキストページに埋め込み、かつ、
○前記データ処理ユニットが、前記プリントジョブから得られる前記プリントファイル及び／又は前記プリントファイルを含むハイパーテキストページを前記端末装置へ送信し、前記端末装置が送信されたプリントファイル及び／又はハイパーテキストページを、前記端末装置のディスプレイに表示するか、又は前記端末装置に接続されたプリンタでプリントすることによって、送出（issue）するか、或いは、
○前記データ処理ユニットが、前記プリントファイル又は前記プリントファイルを含む前記ハイパーテキストページを前記通信ネットワークの記憶位置にてアクセスのために提供し、この提供されたプリントファイル又はハイパーテキストページにアクセスするのに必要な情報を前記端末装置へ送信し、アクセスのために必要な情報の送信後、前記端末装置が、自動的に、或いは前記端末装置に入力された手動の要求によって、前記プリントファイル又はハイパーテキストファイルにアクセスし、前記端末装置のディスプレイに表示するか、又は前記端末装置に接続されたプリンタでプリントすることによって前記プリントファイル又はハイパーテキストページを送出する（issue）ことを特徴とするシステム。
【請求項１５】
コンピュータプログラムであり、それが一旦、データ処理ユニットと、データ通信手段によって少なくとも一時的に接続され端末装置を有するコンピュータシステムのメモリにロードされたとき、通信ネットワークにおけるデータ出力のための方法を前記コンピュータシステムが実行可能なようにする、コンピュータプログラムであって、
前記端末装置が前記データ通信手段を介して前記データ処理ユニットへの接続を確立し、出力しようとするデータにアクセスするのに少なくとも必要な情報を前記データ処理ユニットへ送信し、
前記データ処理ユニットが前記データ処理ユニットにインストールされたコンピュータプログラムにより制御され、
−前記データ処理ユニットが、前記データ／ファイルの記憶位置にある出力しようとする前記データ／ファイルをリコールし、出力しようとする前記データ／ファイルを前記記憶位置から前記データ処理ユニットへの送信を開始し、
−前記データ処理ユニットが、前記データの記憶位置における出力しようとする前記データにアクセスし、出力しようとする前記データの前記記憶位置から前記データ処理ユニットへの送信を開始し、
−前記データ処理ユニットが、プリントジョブを開始し、
−前記データ処理ユニットが、前記プリントジョブから得られるプリントファイルをハイパーテキストページに埋め込み、かつ、
○前記データ処理ユニットが、前記プリントジョブから得られる前記プリントファイル又は前記プリントファイルを含むハイパーテキストページを前記端末装置へ送信し、前記端末装置が送信されたプリントファイル又はハイパーテキストページを、前記端末装置のディスプレイに表示するか、又は前記端末装置に接続されたプリンタでプリントすることによって、送出（issue）するか、或いは、
○前記データ処理ユニットが、前記プリントジョブから得られる前記プリントファイル又は前記プリントファイルを含む前記ハイパーテキストページを前記通信ネットワークの記憶位置にてアクセスのために提供し、この提供されたプリントファイル又はハイパーテキストページにアクセスするのに必要な情報を前記端末装置へ送信し、アクセスのために必要な情報の送信後、前記端末装置が、自動的に、或いは前記端末装置に入力された手動の要求によって、前記プリントファイル又はハイパーテキストファイルにアクセスし、前記端末装置のディスプレイに表示するか、又は前記端末装置に接続されたプリンタでプリントすることによって前記プリントファイル又はハイパーテキストページを送出する（issue）ことを特徴とするコンピュータプログラム。
【請求項１６】
プログラムが記憶されるコンピュータ読取り記憶媒体であり、そのプログラムが一旦、データ処理ユニットと、データ通信手段によって少なくとも一時的に接続され端末装置を有するコンピュータシステムのメモリにロードされたとき、通信ネットワークにおけるデータ出力のための方法を前記コンピュータシステムが実行可能なようにする、記憶媒体であって、
前記データ処理ユニットが前記データ処理ユニットにインストールされたコンピュータプログラムにより制御され、
−前記データ処理ユニットが、前記データ／ファイルの記憶位置にある出力しようとする前記データ／ファイルをリコールし、出力しようとする前記データ／ファイルを前記記憶位置から前記データ処理ユニットへの送信を開始し、
−前記データ処理ユニットが、前記データの記憶位置における出力しようとする前記データにアクセスし、出力しようとする前記データの前記記憶位置から前記データ処理ユニットへの送信を開始し、
−前記データ処理ユニットが、プリントジョブを開始し、
−前記データ処理ユニットが、前記プリントジョブから得られるプリントファイルをハイパーテキストページに埋め込み、かつ、
○前記データ処理ユニットが、前記プリントジョブから得られる前記プリントファイル又は前記プリントファイルを含むハイパーテキストページを前記端末装置へ送信し、前記端末装置が送信されたプリントファイル又はハイパーテキストページを、前記端末装置のディスプレイに表示するか、又は前記端末装置に接続されたプリンタでプリントすることによって、送出（issue）するか、或いは、
○前記データ処理ユニットが、前記プリントジョブから得られる前記プリントファイル又は前記プリントファイルを含む前記ハイパーテキストページを前記通信ネットワークの記憶位置にてアクセスのために提供し、この提供されたプリントファイル又はハイパーテキストページにアクセスするのに必要な情報を前記端末装置へ送信し、アクセスのために必要な情報の送信後、前記端末装置が、自動的に、或いは前記端末装置に入力された手動の要求によって、前記プリントファイル又はハイパーテキストファイルにアクセスし、前記端末装置のディスプレイに表示するか、又は前記端末装置に接続されたプリンタでプリントすることによって前記プリントファイル又はハイパーテキストページを送出する（issue）ことを特徴とする記憶媒体。
【発明の詳細な説明】
【技術分野】
【０００１】
本発明は、通信ネットワークにおいて直接的又は間接的データ出力／ファイル出力を行うための方法、並びに関連コンピュータプログラムプロダクツ及び関連コンピュータ読取り可能な記憶媒体に関するもので、これらはインターネット、イントラネット又は他の記憶媒体から端末装置を介してコンテンツ（情報の中身）をディスプレイ及び／又は印刷するのに特に適している。
【背景技術】
【０００２】
過去において、インターネットは殆どが固定端末装置、例えばパーソナルコンピュータ又はその類似装置を介してアクセスされてきた。従って、ディスプレイされるコンテンツ、例えば文書、画像ファイルなどインターネットからダウンロードされるものについて特に制限はなかった。なぜならば、これらの端末装置は十分に大きなスクリーンのみならず、多数のアプリケーション（応用ソフト）を実行することができる複雑なＯＳ（基本ソフト）並びに多数のアプリケーションの記憶、任意の大きさのファイルの処理を可能にする大きいメモリ容量を備えているからである。
【０００３】
ところで、技術開発の状況下において、インターネットはますますモバイル（携帯）装置、例えば携帯電話、携帯コンピュータ、ラップトップ及びポケット型ＰＣを介してアクセスされるようになりつつある。固定端末装置とは対照的に、これらのモバイル型端末装置は特徴として、ディスプレイスクリーンが非常に小さく、ＯＳ（基本ソフト）（ウインドウズＣＥ、パーム（Palm社）、エポック／シンビアン（EPOC／Symbian）など）も極小で、アプリケーションバージョンもこの極小ＯＳ（基本ソフト）に適応した極小のもので、ワーキングメモリも小さなファイルを処理できるだけのもので、更にメモリ容量もアプリケーションの選択を提供するだけの小さなものである。
【０００４】
従って、全てのファイル又はファイルフォーマット及び／又はコンテンツを明確に送出できるというものではなく、全く送出できない場合もある。これはディスプレイに視覚的に出力すること、及びコンテンツを印刷することに関係する。この理由から、インターネット規格ＨＴＭＬ（Hyper Text Markup Language）の他に、ＷＭＬ言語を備えたワップ（ＷＡＰ（Wireless Application Protocol））が開発された。このＷＡＰ規格に基づいて、インターネットアクセスの制限された形が、モバイル装置を使って可能になった。これらＨＴＭＬ及びＷＭＬはしかしながら、これらの言語で作成された文書だけをモバイル端末装置に通信することができるに過ぎない。
【発明の開示】
【発明が解決しようとする課題】
【０００５】
この問題に対する解決として、とりわけ、関連ファイルをモバイル端末装置にディスプレイすることを目的として、この関連ファイルをミニマル（極小）フォーマットに変換することが提案されている。しかし、この変換は手動で、かつ、オフラインで行われ、従って、その使用は極めて限られたものとなる。
【０００６】
しかし、固定装置もまた、データを翻訳するために必要なアプリケーションがインストールされていない場合、データをロード（loading）するのに利用可能なワーキングメモリが不十分な場合、あるいはアプリケーションを実行可能とするようなＯＳ（例えばＵｎｉｘ（登録商標）についてのウインドウズアプリケーション）を有しない場合などにおいては、必ずしも関連コンテンツを適当な様式でディスプレイできるとは限らない。
【０００７】
モバイル通信技術は規格ＧＭＳで成り立ってきたし、これからも規格ＧＰＲＳ及びＨＳＣＳＤ並びに将来のＵＭＴＳ（Universal Mobile Telecommunication System）で発展し続けるであろう。このように、通信オプションが継続的に最適化されている。すなわち、通信可能なデータ量が莫大に増大することになる。これに対し、コンテンツを発信するオプションは制限されたままである。
【０００８】
同様にして、このようなタイプの端末装置からアクセスすることができるインターネット、イントラネット又は他のメモリ媒体からディスプレイされるコンテンツは制限を受けることになる。
【０００９】
従って、本発明の目的は、上記欠点を回避することができ、特にフォーマット及びアプリケーションに依存することなくコンテンツの出力を可能とするような、通信ネットワークにおけるデータ出力／ファイル出力のための方法及び設計、並びに関連コンピュータプログラムプロダクツ及びコンピュータによる読取り可能な関連記憶媒体を提供することである。
【００１０】
この目的は本発明による請求項１及び１４に記載の要旨に従うことにより解決される。本発明の具体的態様が従属請求項に記載されている。
【課題を解決するための手段】
【００１１】
この目的のため、以下の方法が想定される。すなわち、出力しようとするデータ／ファイルにアクセスするのに少なくとも必要な情報を端末装置からデータ処理ユニットへ送信し、前記データ処理ユニットをコンピュータプログラムにより制御し、それぞれの記憶位置にて出力しようとする前記データ／ファイルを開き、前記データ／ファイルを送出するためのプリントジョブを開始させ、プリントジョブから得られるプリントファイルをハイパーテキストページ、特にＨＴＭＬ又はＷＭＬサイト中に埋め込み、及び／又は出力しようとする前記データ／ファイルを事前指定可能なフォーマットに変換する。次に、プリントファイルを含むハイパーテキストページ及び／又はプリントジョブから得られるプリントファイル及び／又は必要に応じて変換されたデータ／ファイルを端末装置へ送信し、前記端末装置が送信されたデータ／ファイルを送出すか、若しくは、プリントファイルを含むハイパーテキストページ及び／又はプリントジョブから得られるプリントファイル及び／又は必要に応じて変換されたデータ／ファイルを通信ネットワークにおいてリコールのために提供し、この提供された情報にアクセスするのに必要な情報を前記端末装置へ送信し、アクセスのために必要な情報の送信後、端末装置により通信ネットワークからデータ／ファイルが自動的にリコールされ、送出され、出力しようとする前記データ／ファイルが手動リコールにより要求され、送出されることを特徴とする方法である。
【００１２】
更に、通信ネットワークにおいてデータ出力／ファイル出力を実行するための設計が提供されている。これは、少なくとも１個のプロセッサ及び／又はチップを有し、通信ネットワークにおけるデータ出力／ファイル出力についての方法が実行可能に構築されたものであって、その方法が、出力しようとするデータ／ファイルにアクセスするのに少なくとも必要な情報を端末装置からデータ処理ユニットへ送信し、前記データ処理ユニットをコンピュータプログラムにより制御し、それぞれの記憶位置にて出力しようとする前記データ／ファイルを開き、前記データ／ファイルを送出するためのプリントジョブを開始させ、プリントジョブから得られるプリントファイルをハイパーテキストページ、特にＨＴＭＬ又はＷＭＬサイト中に埋め込み、及び／又は出力しようとする前記データ／ファイルを事前指定可能なフォーマットに変換するものであって、プリントファイルを含むハイパーテキストページ及び／又はプリントジョブから得られるプリントファイル及び／又は必要に応じて変換されたデータ／ファイルを端末装置へ送信し、前記端末装置が送信されたデータ／ファイルを送出し、又はプリントファイルを含むハイパーテキストページ及び／又はプリントジョブから得られるプリントファイル及び／又は必要に応じて変換されたデータ／ファイルを通信ネットワークにおいてリコールのために提供し、この提供された情報にアクセスするのに必要な情報を前記端末装置へ送信し、アクセスのために必要な情報の送信後、端末装置により通信ネットワークからデータ／ファイルが自動的にリコールされ、送出され、出力しようとする前記データ／ファイルが手動リコールにより要求され、送出されることを特徴とする。
【００１３】
通信ネットワークにおいてデータ出力／ファイル出力を実行するためのコンピュータプログラムプロダクツが提供されている。これは、プログラムが記憶されるコンピュータ読取り記憶媒体を含み、一旦、コンピュータのメモリにロードされたとき、前記コンピュータにより、通信ネットワークにおけるデータ出力／ファイル出力のための方法が実行され、それにより、出力しようとするデータ／ファイルにアクセスするのに少なくとも必要な情報が端末装置からデータ処理ユニットへ送信され、前記データ処理ユニットがコンピュータプログラムにより制御されて、それぞれの記憶位置にて出力しようとする前記データ／ファイルが開かれ、前記データ／ファイルを送出するためのプリントジョブが開始され、プリントジョブから得られるプリントファイルがハイパーテキストページ、特にＨＴＭＬ又はＷＭＬサイト中に埋め込まれ、及び／又は出力しようとする前記データ／ファイルが事前指定可能なフォーマットに変換され、プリントファイルを含むハイパーテキストページ及び／又はプリントジョブから得られるプリントファイル及び／又は必要に応じて変換されたデータ／ファイルが端末装置へ送信され、前記端末装置により送信されたデータ／ファイルが送出され、又はプリントファイルを含むハイパーテキストページ及び／又はプリントジョブから得られるプリントファイル及び／又は必要に応じて変換されたデータ／ファイルが通信ネットワークにおいてリコールのために提供され、この提供された情報にアクセスするのに必要な情報が前記端末装置へ送信され、アクセスのために必要な情報の送信後、端末装置により通信ネットワークからデータ／ファイルが自動的にリコールされ、送出させ、出力しようとする前記データ／ファイルが手動リコールにより要求され、送出されるようになっている。
【００１４】
通信ネットワークにおいてデータ出力／ファイル出力を実行するためにコンピュータ読取り記憶媒体が使用される。この記憶媒体にはプログラムが記憶され、それが一旦、コンピュータのメモリにロードされたとき、前記コンピュータにより、通信ネットワークにおけるデータ出力／ファイル出力のための方法が実行され、それにより、出力しようとするデータ／ファイルにアクセスするのに少なくとも必要な情報が端末装置からデータ処理ユニットへ送信され、前記データ処理ユニットがコンピュータプログラムにより制御されて、それぞれの記憶位置にて出力しようとする前記データ／ファイルが開かれ、前記データ／ファイルを送出するためのプリントジョブが開始され、プリントジョブから得られるプリントファイルがハイパーテキストページ、特にＨＴＭＬ又はＷＭＬサイト中に埋め込まれ、及び／又は出力しようとする前記データ／ファイルが事前指定可能なフォーマットに変換され、プリントファイルを含むハイパーテキストページ及び／又はプリントジョブから得られるプリントファイル及び／又は必要に応じて変換されたデータ／ファイルが端末装置へ送信され、前記端末装置により送信されたデータ／ファイルが送出され、又はプリントファイルを含むハイパーテキストページ及び／又はプリントジョブから得られるプリントファイル及び／又は必要に応じて変換されたデータ／ファイルが通信ネットワークにおいてリコールのために提供され、この提供された情報にアクセスするのに必要な情報が前記端末装置へ送信され、アクセスのために必要な情報の送信後、端末装置により通信ネットワークからデータ／ファイルが自動的にリコールされ、送出させ、出力しようとする前記データ／ファイルが手動リコールにより要求され、送出されるようになっている。
【００１５】
本明細書でコンテンツとは、アプリケーションプログラムを用いて可視化、送出可能なファイル及びデータを意味する。これらのコンテンツはインターネット、イントラネット（すなわち、企業内のネットワーク環境）又は他の記憶媒体（例えば、セントラルサーバ又はスタンドアロンオフィスコンピュータ）中に見出すことができる。それにより、データ通信を、通信ライン、無線ライン又は赤外線データ通信、更にこれらの通信手段の組合せを介して実行することができる。
【００１６】  コンテンツのアドレスは通常、いわゆるＵＲＬ（Unified Resource Locator、 例えば、（公序良俗違反につき、不掲載）／inhalt.doc、リンクとも呼ばれる）、パスネーム（C:＼Dokumente＼inhalt.doc）又はアンアンビギュアスな記述（デスクリプション）（unambiguous、カスタマー番号１２３４を有するカスタマー情報）である。これらのアドレスの形態の全ても、準備された形で端末装置使用者に提供することができる。
【発明の効果】
【００１７】
以上、詳述したように、本発明によれば、フォーマット及びアプリケーションに依存することなくコンテンツを出力できる。
【発明を実施するための最良の形態】
【００１８】
以下、本発明の好適なデータ／ファイル出力方法の実施の形態について詳細に説明する。
【００１９】
端末装置は、モバイル端末装置、例えば携帯電話、携帯コンピュータ、ラップトップ、ポケット型ＰＣ、その他の類似装置であることが好ましい。従って、上述のように全てのコンテンツをディスプレイするのに必ずしも常に適していないコンピュータのような固定端末装置も含まれる。この後者のケースは、その適しない原因が一般にコンピュータに全て適用可能とは限らない多種雑多なアプリケーションの存在にある。
【００２０】
上記データ処理ユニットは、通常、大容量固定コンピュータ又はその類似装置である。しかし、適当に設備を備えていれば、モバイル端末装置を使用することも考えられる。
【００２１】
インターフェースは一般的なケーブルインターフェース、赤外線又はブルートゥース（Bluetooth）インターネット等であってもよい。
【００２２】
ディスプレイされるべきコンテンツのアドレスは、好ましくはダイアルアップ（dial-up）接続又はインターネットを使用して上記データ処理ユニットへ送信される。それにより上記データ処理ユニットは使用者の家庭又はオフィスにおけるコンピュータ、コーポレート（corporate）サーバ又はこのサービスを提供するインターネットサービスプロバイダーのサーバであってもよい。
【００２３】
もし、上記端末装置又はモバイル端末装置がコンテンツをオンスクリーンでディスプレイできないとき、又は送出できないときは、所望のコンテンツをデータ処理ユニットにローディング（loading）するのに必要な全ての記述（デスクリプション）が、端末装置からデータ処理ユニットへ送信されるという方法が提供される。通常、関連ＵＲＬ又は正確な記憶位置を送信すれば十分である。データ処理ユニットから、コンテンツがその後、ローディングされ、次いで、プリントプロセス及び／又はプリントジョブが開始され、又は、必要に応じてコンテンツが特定のフォーマットに変換される。このフォーマットは全地球的に事前指定することができ、本発明に従ってデータ処理ユニットに対し履行されたコンピュータプログラムを用いて大略的、かつ、固定的にセットされる。従って、この変換はリクエストされている端末装置から独立して行われる。例えば、プリントファイル及び／又は変換されたコンテンツをＨＴＭＬ又はＷＭＬサイトに埋め込むことが実用的であることが証明されている。埋め込むことにより、（埋め込まれた）データをブラウザによって表示することが可能となる。これに代わるものであって、同じく実用的であるとして証明されているものは、コンテンツをＨＴＭＬファイル（又は、同じようなフォーマット）に変換し、それによりコンテンツのプリントヴューをこの変換による変化をできるだけ小さくして通信することである。このようにして作成されたＨＴＭＬファイルは次いで、通信ネットワーク又はインターネット中に記憶される。これはデータ処理ユニットに対し履行されたコンピュータプログラムにより行われ、関連アドレス（ＵＲＬ）が、リクエストされている端末装置に向けて送信される。
【００２４】
必要なデスクリプション及び／又はアドレスの通信は、異なる方法で行うこともできる。すなわち、例えば、インターネットセッション内において、ＨＴＭＬ又はＷＡＰに基づくものか否かに関係なく、ユーザは、デスクリプションが選択により送信されたコンテンツが与えられたり、あるいはユーザはそのデスクリプションをその目的のためのフィールドに直接、導入する。これらのデスクリプションは次いで、ウェブサーバから発信される。ＨＴＭＬ又はＷＡＰページに埋め込まれた結果が、すなわち、ドキュメントビューが、このアクションに対する直接的応答ページとしてディスプレイされ、従って、再度、呼び出される必要はない。ユーザにとっては、これはあたかも彼が単にリンクをクリックしたように見えるであろう。
【００２５】
実行の更に他の形は、コンテンツの通信が以下のようにして実現されるものである。すなわち、ユーザが、記述された理由により開くことができない付属物を有するメールをデータ処理ユニットに送信し、ユーザは、このデータ処理ユニットからオリジナルドキュメントの代わりに、結果に対するリンクを含む応答メールを受理する。
【００２６】
他の具体例において、関連アドレス（ＵＲＬ）の通信もＳＭＳ（Systems Management Server）として行うことができ、それによりユーザは後に、導入された（entered）ネットワークアドレスに対し手動でアクセスするか、データ処理ユニットにより送信されたデータが端末装置にインストールされたプログラムを開始させ、それにより、導入されているネットワークアドレスが自動的にアクセスされ、端末装置に対しコンテンツが送出され、記憶され、及び／又は印刷される。
【００２７】
インターネットにおけるＨＴＭＬのフォーマット及び記憶の使用は、携帯電話、携帯コンピュータ、ラップトップ又はポケット型ＰＣを含めた殆どの端末装置が追加の特定のソフトウエアを必要とせずにインターネットにアクセスすることができるという利点を有する。
【００２８】
しかし、更に、本発明の他の実施形態において、所望の出力フォーマットを端末装置から事前指定することもできる。この場合、コンテンツはデータ処理ユニットについてのコンピュータプログラムにより変換される。関連するデスクリプションがそれにより端末装置から、要求されたコンテンツのためのアクセスデスクリプションと共にデータ処理ユニットへ送信されるか、あるいはこれらのフォーマットデスクリプションがデータ処理ユニットについての他のユーザデスクリプションと共に記憶される。
【００２９】
本発明による方法は当然、他の出力システムと組合わせることができる。すなわち、通信網にコンテンツを記憶するのと平行して、あるいはそれに代わるものとして、ビットマップファイルを作成し、第１の端末装置へ送信することも可能である。なぜならば、通常、ビットマップファイルはグラフィックディスプレイ機能を有するあらゆる端末装置から送出することができるからである。
【００３０】
データ処理ユニットから端末装置へ送信されるデータ量をできるだけ小さく維持するため、（モバイル）端末装置はそのディスプレイ情報、例えばディスプレイサイズ、必要なスケーリング（scaling）、カラー又は白黒ディスプレイを、コンテンツをローディングするためのデスクリプションと共にデータ処理ユニットへ送信することもできる。データ処理ユニットは次いで、要求されたコンテンツから特定の要求を満たすビットマップファイルを作成し、それにより実際に必要なデータ量のみが送信されることになる。
【００３１】
場合によっては、要求されたコンテンツからＨＴＭＬ又はＷＭＬファイルを作成しないで、むしろピュアファイル（例えば、ＡＳＣＩＩファイル）を作成し、ついで端末装置へ送信することが賢いことがある。なぜならば、これらのピュアファイルは殆どの端末装置によりディスプレイすることができるからである。
【００３２】
本発明は上記実施例に限定されるものではない。すなわち、本発明の要旨を逸脱することなく、上記方法、特徴的要素を組み合わせたり、変更することにより種々の変形例を実現することは容易に可能であろう。